(57)【特許請求の範囲】
【請求項１】
少なくとも１枚のレンズ素子で構成されたレンズ群を複数有するレンズ系であって、
物体側から順に、第１レンズ群、開口絞り、第２レンズ群、からなり、
前記第１レンズ群は、物体側から順に、正のパワーを有する第１レンズ素子、正のパワーを有する第２レンズ素子、負のパワーを有する第３レンズ素子、または正のパワーを有する第１レンズ素子、正のパワーを有する第２レンズ素子、正のパワーを有する第３レンズ素子、負のパワーを有する第４レンズ素子を有し、
前記第２レンズ群内の１枚のフォーカスレンズとしてのレンズ素子が、無限遠合焦状態から近接物体合焦状態へのフォーカシングの際に像面に対して移動し、
前記第２レンズ群内の一部の正のパワーを有するレンズ素子が、光軸に対して垂直方向に移動し、
以下の条件式を満足するレンズ系：
０．２＜｜ｆＦ／ｆＯ｜＜３．０  ・・・  （１）
ここで、
ｆＦ：フォーカスレンズの焦点距離、
ｆＯ：光軸に対して垂直方向に移動するレンズ素子の合成焦点距離、
である、レンズ系。
【請求項２】
以下の条件を満足する請求項１に記載のレンズ系：
ｎｄ１＞１．７５  ・・・  （２）
ここで、
ｎｄ１：第1レンズ素子の屈折率
である。
【請求項３】
以下の条件を満足する請求項１に記載のレンズ系：
０．９５＜ＤＬＡ／Ｄ１Ｓ＜３．０  ・・・  （３）
ここで、
ＤＬＡ：レンズ系を構成する各レンズ素子の光軸上の厚みの総和、
Ｄ１Ｓ：第１レンズ素子の物体側面から開口絞りまでの光軸上の間隔、
である。
【請求項４】
以下の条件を満足する請求項１に記載のレンズ系：
νｄｓ＞５５  ・・・  （４）
ここで、
νｄｓ：フォーカスレンズのアッベ数
である。
【請求項５】
以下の条件を満足する請求項１に記載のレンズ系：
０．８＜｜Ｌ／ｆＦ｜＜３．５  ・・・（５）
ここで、
Ｌ：レンズ系における光学全長、
ｆＦ：フォーカスレンズの焦点距離
である。
【請求項６】
前記第１レンズ群を構成するレンズ素子は、単レンズのみで構成されている、
請求項１に記載のレンズ系。
【請求項７】
前記第１レンズ群を構成する像面側から２番目のレンズ素子は、物体側に凸面を有する正のメニスカスレンズである、
請求項１に記載のレンズ系。
【請求項８】
以下の条件を満足する請求項１に記載のレンズ系：
０．４＜｜ＤＬＡ／ｆＦ｜＜１．５  ・・・  （６）
ここで、
ＤＬＡ：レンズ系を構成する各レンズ素子の光軸上の厚みの総和、
ｆＦ：フォーカスレンズの焦点距離
である。
【請求項９】
請求項１に記載のレンズ系と、
前記レンズ系が形成する光学像を受光して電気的な画像信号に変換する撮像素子を含むカメラ本体との接続が可能なレンズマウント部と、を備える、交換レンズ装置。
【請求項１０】
請求項１に記載のレンズ系を含む交換レンズ装置と、
前記交換レンズ装置とカメラマウント部を介して着脱可能に接続され、前記レンズ系が形成する光学像を受光して電気的な画像信号に変換する撮像素子を含むカメラ本体と、を備える、カメラシステム。
【発明の詳細な説明】
【技術分野】
【０００１】
本開示は、新規なインナーフォーカスレンズ、交換レンズ装置及びカメラシステムに関する。詳しくは、デジタル用一眼レフカメラもしくは銀塩フィルム用一眼レフカメラに装着可能な交換レンズ、デジタルスチルカメラ、カムコーダに適したインナーフォーカスレンズ及び該インナーフォーカスレンズを使用した交換レンズ装置及びカメラシステムに関する。
【背景技術】
【０００２】
近年の固体撮像素子の高画素化に伴い、それに用いられる撮影光学系には、より高性能なものが求められており、しかもＦナンバーが明るいレンズが求められている。また更には、フォーカス速度の高速化や、フォーカス時の像ゆれの小さなレンズの要求も高い。また更には、動画撮影時の像ぶれ補正に対する要求も高く、像ぶれ補正を光学的に補正するレンズ系が要求されている。
【０００３】
特許文献１では、物体側から順に正の屈折力を有する第１レンズ群、負の屈折力を有する第２レンズ群、正の屈折力を有する第３レンズ群、とで構成され、第２レンズ群でフォーカスを行うインナーフォーカスレンズを開示している。
【０００４】
特許文献２では、物体側から順に正の屈折力を有する第１レンズ群、正の屈折力を有する第２レンズ群、正の屈折力を有する第３レンズ群、とで構成され、第２レンズ群でフォーカスを行うインナーフォーカスレンズを開示している。
【０００５】
特許文献３では、物体側から順に正の屈折力を有する第１レンズ群、正の屈折力を有する第２レンズ群、正の屈折力を有する第３レンズ群、とで構成され、第２レンズ群でフォーカスを行い、第３レンズ群の一部のレンズを光軸に垂直に移動させて像ぶれ補正を行うインナーフォーカスレンズを開示している。
【先行技術文献】
【特許文献】
【０００６】
【特許文献１】特開２０００−３４７０９９号公報
【特許文献２】特開２０１１−１１２９５７号公報
【特許文献３】特開２００３−０４３３４８号公報
【発明の概要】
【発明が解決しようとする課題】
【０００７】
しかしながら、前記特許文献１に示されたレンズ系では、絞りより像面側の群のレンズ枚数が４枚と少なく、大口径化が難しく、Ｆナンバーの明るいレンズの要求に答えることができない。
特許文献２，３に示されたレンズ系では、フォーカスを行うレンズ群が２枚以上のレンズで構成されているため、フォーカス速度の高速化の要求に答えることができない。
【０００８】
本開示は、大口径でありながら、各収差の補正が良好になされ、フォーカス速度の高速化と光学的な像ぶれ補正が可能なインナーフォーカスレンズ及び、交換レンズ装置及びカメラシステムを提供する。
【課題を解決するための手段】
【０００９】
上記目的の１つは、以下のインナーフォーカスレンズにより達成される。即ち本開示の一態様は、物体側から順に、第１レンズ群、開口絞り、第２レンズ群、からなり、前記第１レンズ群は、物体側から順に、正のパワーを有する第１レンズ素子、正のパワーを有する第２レンズ素子、負のパワーを有する第３レンズ素子、または正のパワーを有する第１レンズ素子、正のパワーを有する第２レンズ素子、正のパワーを有する第３レンズ素子、負のパワーを有する第４レンズ素子を有し、前記第２レンズ群内の１枚のレンズ素子が、無限遠合焦状態から近接物体合焦状態へのフォーカシングの際に像面に対して移動し、前記第２レンズ群内の一部のレンズ素子が、光軸に対して垂直方向に移動し、
以下の条件式（１）：
０．２＜｜ｆＦ／ｆＯ｜＜３．０  ・・・  （１）
（ここで、
ｆＦ：フォーカスレンズの焦点距離、
ｆＯ：光軸に対して垂直方向に移動するレンズ素子の焦点距離
である。）
を満足する、インナーフォーカスレンズ
に関する。
【００１０】
上記目的の１つは、以下の交換レンズ装置により達成される。即ち本開示における他の態様は、物体側から順に、第１レンズ群、開口絞り、第２レンズ群、からなり、前記第１レンズ群は、物体側から順に、正のパワーを有する第１レンズ素子、正のパワーを有する第２レンズ素子、負のパワーを有する第３レンズ素子、または正のパワーを有する第１レンズ素子、正のパワーを有する第２レンズ素子、正のパワーを有する第３レンズ素子、負のパワーを有する第４レンズ素子を有し、前記第２レンズ群内の１枚のレンズ素子が、無限遠合焦状態から近接物体合焦状態へのフォーカシングの際に像面に対して移動し、前記第２レンズ群内の一部のレンズ素子が、光軸に対して垂直方向に移動し、
以下の条件式（１）：
０．２＜｜ｆＦ／ｆＯ｜＜３．０  ・・・  （１）
（ここで、
ｆＦ：フォーカスレンズの焦点距離、
ｆＯ：光軸に対して垂直方向に移動するレンズ素子の焦点距離
である。）
を満足する、インナーフォーカスレンズと、前記インナーフォーカスレンズが形成する光学像を受光して電気的な画像信号に変換する撮像素子を含むカメラ本体との接続が可能なレンズマウント部と、を備える、交換レンズ装置
に関する。
【００１１】
上記目的の１つは、以下のカメラシステムにより達成される。即ち本開示における別の態様は、物体側から順に、第１レンズ群、開口絞り、第２レンズ群、からなり、前記第１レンズ群は、物体側から順に、正のパワーを有する第１レンズ素子、正のパワーを有する第２レンズ素子、負のパワーを有する第３レンズ素子、または正のパワーを有する第１レンズ素子、正のパワーを有する第２レンズ素子、正のパワーを有する第３レンズ素子、負のパワーを有する第４レンズ素子を有し、前記第２レンズ群内の１枚のレンズ素子が、無限遠合焦状態から近接物体合焦状態へのフォーカシングの際に像面に対して移動し、前記第２レンズ群内の一部のレンズ素子が、光軸に対して垂直方向に移動し、
以下の条件式（１）：
０．２＜｜ｆＦ／ｆＯ｜＜３．０  ・・・  （１）
（ここで、
ｆＦ：フォーカスレンズの焦点距離、
ｆＯ：光軸に対して垂直方向に移動するレンズ素子の焦点距離
である。）
を満足する、インナーフォーカスレンズを含む交換レンズ装置と、
前記交換レンズ装置とカメラマウント部を介して着脱可能に接続され、前記インナーフォーカスレンズが形成する光学像を受光して電気的な画像信号に変換する撮像素子を含むカメラ本体と、を備える、カメラシステム
に関する。
【発明の効果】
【００１２】
本開示の態様によれば、各収差の補正が良好になされ、且つ、フォーカスの移動量が少なく、フォーカス群重量の軽く、更に、像ぶれ補正が可能なインナーフォーカスレンズが達成できる。
【図面の簡単な説明】
【００１３】
【図１】実施の形態１における実施例１のレンズのレンズ断面図
【図２】実施例１のレンズの無限遠合焦時での縦収差図
【図３】実施例１のレンズの無限遠合焦時における、像ぶれ補正を行っていない基本状態及び像ぶれ補正状態での横収差図
【図４】実施の形態２における実施例２のレンズのレンズ断面図
【図５】実施例２のレンズの無限遠合焦時での縦収差図
【図６】実施例２のレンズの無限遠合焦時における、像ぶれ補正を行っていない基本状態及び像ぶれ補正状態での横収差図
【図７】実施の形態３における実施例３のレンズのレンズ断面図
【図８】実施例３のレンズの無限遠合焦時での縦収差図
【図９】実施例３のレンズの無限遠合焦時における、像ぶれ補正を行っていない基本状態及び像ぶれ補正状態での横収差図
【図１０】実施の形態４における実施例４のレンズのレンズ断面図
【図１１】実施例４のレンズの無限遠合焦時での縦収差図
【図１２】実施例４のレンズの無限遠合焦時における、像ぶれ補正を行っていない基本状態及び像ぶれ補正状態での横収差図
【図１３】実施の形態５における実施例５のレンズのレンズ断面図
【図１４】実施例５のレンズの無限遠合焦時での縦収差図
【図１５】実施例５のレンズの無限遠合焦時における、像ぶれ補正を行っていない基本状態及び像ぶれ補正状態での横収差図
【図１６】実施の形態６における実施例６のレンズのレンズ断面図
【図１７】実施例６のレンズの無限遠合焦時での縦収差図
【図１８】実施例６のレンズの無限遠合焦時における、像ぶれ補正を行っていない基本状態及び像ぶれ補正状態での横収差図
【図１９】実施の形態７に係るレンズ交換式デジタルカメラシステムの概略構成図
【発明を実施するための形態】
【００１４】
本実施形態である、インナーフォーカス式の光学系（単に「インナーフォーカスレンズ」と記す場合もある。）、このインナーフォーカスレンズを含む交換レンズ装置、及び、この交換レンズ装置とカメラ本体とを備えたカメラシステムについて、図を参照しながら以下に説明する。尚、各図において、同一又は同様の構成部分については同じ符号を付している。
【００１５】
（実施の形態１〜６）
本実施形態のインナーフォーカスレンズの具体的な形態について、図面を参照して説明する。
図１、図４、図７、図１０、図１３、及び図１６は、それぞれの実施の形態に係るインナーフォーカスレンズの無限遠物点合焦時のレンズ構成を示すものである。レンズ群に付された矢印は、無限遠合焦状態から近接物体合焦状態へのフォーカシングを表す。すなわち、無限遠合焦状態から近接物体合焦状態へのフォーカシングの際の移動方向を示している。なお図において、特定の面に付されたアスタリスク＊は、該面が非球面であることを示している。また図において、各レンズ群の符号に付された記号（＋）及び記号（−）は、各レンズ群のパワーの符号に対応する。また各図において、最も右側に記載された直線は、像面Ｓの位置を表している。
【００１６】
第１の実施の形態に係るインナーフォーカスレンズは、図１に示すように、物体側から像面側へ順に、第１レンズ群Ｇ１、開口絞りＡ、第２レンズ群Ｇ２が配列されている。
【００１７】
第１の実施の形態に係るインナーフォーカスレンズにおいて、第１レンズ群Ｇ１は、物体側から像面側へと順に、物体側に凸面を向けた正メニスカス形状の第１レンズ素子Ｌ１と、物体側に凸面を向けた正メニスカス形状の第２レンズ素子Ｌ２と、物体側に凸面を向けた負メニスカス形状の第３レンズ素子Ｌ３と、物体側に凸面を向けた負メニスカス形状の第４レンズ素子Ｌ４と、物体側に凸面を向けた正メニスカス形状の第５レンズ素子Ｌ５とからなる。ここで、第１レンズ素子Ｌ１、第２レンズ素子Ｌ２、及び第３レンズ素子Ｌ３は、第１レンズ群Ｇ１における第１サブレンズ群を構成し、第４レンズ素子Ｌ４及び第５レンズ素子Ｌ５は、第２サブレンズ群を構成する。これらのうち、第４レンズ素子Ｌ４と第５レンズ素子Ｌ５とが接合されている。
【００１８】
第１の実施の形態に係るインナーフォーカスレンズにおいて、第２レンズ群Ｇ２は、物体側に凸面を向けた負メニスカス形状の第６レンズ素子Ｌ６と、両凸形状の第７レンズ素子Ｌ７と、両凹形状の第８レンズ素子Ｌ８と、物体側に凸面を向けた正メニスカス形状の第９レンズ素子Ｌ９と、両凸形状の第１０レンズ素子Ｌ１０と、像面側に凸面を向けた負メニスカス形状の第１１レンズ素子Ｌ１１とからなる。これらのうち、第８レンズ素子Ｌ８と第９レンズ素子Ｌ９とが接合され、第１０レンズ素子Ｌ１０と第１１レンズ素子Ｌ１１とが接合されている。また、該第２レンズ群Ｇ２中の負の単レンズＬ６を像面側へ光軸上移動することにより無限遠物体側から近距離物体側へのフォーカシングを行う。正の単レンズＬ７を光軸に直交する方向に移動させることによって、全系の振動による像点移動を補正する、すなわち、手ぶれ、振動等による像ぶれを光学的に補正することができる。
【００１９】
図４は第２の実施の形態に係るインナーフォーカスレンズの無限遠物点合焦時のレンズ構成を示すものである。
【００２０】
第２の実施の形態に係るインナーフォーカスレンズは、物体側から像面側へ順に、第１レンズ群Ｇ１、開口絞りＡ、第２レンズ群Ｇ２が配列されている。
【００２１】
第２の実施の形態に係るインナーフォーカスレンズにおいて、第１レンズ群Ｇ１は、物体側から像面側へと順に、物体側に凸面を向けた正メニスカス形状の第１レンズ素子Ｌ１と、物体側に凸面を向けた正メニスカス形状の第２レンズ素子Ｌ２と、物体側に凸面を向けた負メニスカス形状の第３レンズ素子Ｌ３とからなる。このように第２実施形態では、第１レンズ群Ｇ１は、第１サブレンズ群のみから構成されている。
【００２２】
第２の実施の形態に係るインナーフォーカスレンズにおいて、第２レンズ群Ｇ２は、両凹形状の第４レンズ素子Ｌ４と、両凸形状の第５レンズ素子Ｌ５と、両凸形状の第６レンズ素子Ｌ６と、物体側に凸面を向けた正メニスカス形状の第７レンズ素子Ｌ７と、物体側に凸面を向けた負メニスカス形状の第８レンズ素子Ｌ８と、両凸形状の第９レンズ素子Ｌ９と、像面側に凸面を向けた負メニスカス形状の第１０レンズ素子Ｌ１０とからなる。これらのうち、第４レンズ素子Ｌ４と第５レンズ素子Ｌ５とが接合されている。また、第８レンズ素子Ｌ８の物体側面は非球面であり、第９レンズ素子Ｌ９の両面は非球面である。また、該第２レンズ群Ｇ２中の負の単レンズＬ８を像面側へ光軸上移動することにより無限遠物体側から近距離物体側へのフォーカシングを行う。正の単レンズＬ７を光軸に直交する方向に移動させることによって、全系の振動による像点移動を補正する、すなわち、手ぶれ、振動等による像ぶれを光学的に補正することができる。
【００２３】
図７は第３の実施の形態に係るインナーフォーカスレンズの無限遠物点合焦時のレンズ構成を示すものである。
【００２４】
第３の実施の形態に係るインナーフォーカスレンズは、物体側から像面側へ順に、第１レンズ群Ｇ１、開口絞りＡ、第２レンズ群Ｇ２が配列されている。
【００２５】
第３の実施の形態に係るインナーフォーカスレンズにおいて、第１レンズ群Ｇ１は、物体側から像面側へと順に、物体側に凸面を向けた正メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３と、物体側に凸面を向けた負メニスカス形状の第４レンズ素子Ｌ４と、物体側に凸面を向けた負メニスカス形状の第５レンズ素子Ｌ５と、物体側に凸面を向けた正メニスカス形状の第６レンズ素子Ｌ６とからなる。ここで、第３の実施形態では、第１レンズ素子Ｌ１、第２レンズ素子Ｌ２、第３レンズ素子Ｌ３、及び第４レンズ素子Ｌ４が第１レンズ群Ｇ１における第１サブレンズ群を構成し、第５レンズ素子Ｌ５及び第６レンズ素子Ｌ６が第２サブレンズ群を構成する。これらのうち、第５レンズ素子Ｌ５と第６レンズ素子Ｌ６とが接合されている。
【００２６】
第３の実施の形態に係るインナーフォーカスレンズにおいて、第２レンズ群Ｇ２は、物体側に凸面を向けた負メニスカス形状の第７レンズ素子Ｌ７と、両凸形状の第８レンズ素子Ｌ８と、両凹形状の第９レンズ素子Ｌ９と、物体側に凸面を向けた正メニスカス形状の第１０レンズ素子Ｌ１０と、両凸形状の第１１レンズ素子Ｌ１１と、像面側に凸面を向けた負メニスカス形状の第１２レンズ素子Ｌ１２とからなる。これらのうち、第９レンズ素子Ｌ９と第１０レンズ素子Ｌ１０とが接合され、第１１レンズ素子Ｌ１１と第１２レンズ素子Ｌ１２とが接合されている。また、該第２レンズ群Ｇ２中の負の単レンズＬ７を像面側へ光軸上移動することにより無限遠物体側から近距離物体側へのフォーカシングを行う。正の単レンズＬ８を光軸に直交する方向に移動させることによって、全系の振動による像点移動を補正する、すなわち、手ぶれ、振動等による像ぶれを光学的に補正することができる。
【００２７】
図１０は第４の実施の形態に係るインナーフォーカスレンズの無限遠物点合焦時のレンズ構成を示すものである。
【００２８】
第４の実施の形態に係るインナーフォーカスレンズは、物体側から像面側へ順に、第１レンズ群Ｇ１、開口絞りＡ、第２レンズ群Ｇ２が配列されている。
【００２９】
第４の実施の形態に係るインナーフォーカスレンズにおいて、第１レンズ群Ｇ１は、物体側から像面側へと順に、物体側に凸面を向けた正メニスカス形状の第１レンズ素子Ｌ１と、物体側に凸面を向けた正メニスカス形状の第２レンズ素子Ｌ２と、物体側に凸面を向けた負メニスカス形状の第３レンズ素子Ｌ３と、両凹形状の第４レンズ素子Ｌ４と、両凸形状の第５レンズ素子Ｌ５とからなる。ここで、第１レンズ素子Ｌ１、第２レンズ素子Ｌ２、及び第３レンズ素子Ｌ３は、第１レンズ群Ｇ１における第１サブレンズ群を構成し、第４レンズ素子Ｌ４及び第５レンズ素子Ｌ５は、第２サブレンズ群を構成する。これらのうち、第４レンズ素子Ｌ４と第５レンズ素子Ｌ５とが接合されている。
【００３０】
第４の実施の形態に係るインナーフォーカスレンズにおいて、第２レンズ群Ｇ２は、両凸形状の第６レンズ素子Ｌ６と、物体側に凸面を向けた負メニスカス形状の第７レンズ素子Ｌ７と、物体側に凸面を向けた正メニスカス形状の第８レンズ素子Ｌ８と、像面側に凸面を向けた負メニスカス形状の第９レンズ素子Ｌ９と、像面側に凸面を向けた正メニスカス形状の第１０レンズ素子Ｌ１０と、像面側に凸面を向けた正メニスカス形状の第１１レンズ素子Ｌ１１とからなる。これらのうち、第９レンズ素子Ｌ９と第１０レンズ素子Ｌ１０とが接合されている。また、該第２レンズ群Ｇ２中の負の単レンズＬ７を像面側へ光軸上移動することにより無限遠物体側から近距離物体側へのフォーカシングを行う。正の単レンズＬ８を光軸に直交する方向に移動させることによって、全系の振動による像点移動を補正する、すなわち、手ぶれ、振動等による像ぶれを光学的に補正することができる。
【００３１】
図１３は第５の実施の形態に係るインナーフォーカスレンズの無限遠物点合焦時のレンズ構成を示すものである。
【００３２】
第５の実施の形態に係るインナーフォーカスレンズは、物体側から像面側へ順に、第１レンズ群Ｇ１、開口絞りＡ、第２レンズ群Ｇ２が配列されている。
【００３３】
第５の実施の形態に係るインナーフォーカスレンズにおいて、第１レンズ群Ｇ１は、物体側から像面側へと順に、物体側に凸面を向けた正メニスカス形状の第１レンズ素子Ｌ１と、物体側に凸面を向けた正メニスカス形状の第２レンズ素子Ｌ２と、物体側に凸面を向けた負メニスカス形状の第３レンズ素子Ｌ３と、両凹形状の第４レンズ素子Ｌ４と、両凸形状の第５レンズ素子Ｌ５とからなる。ここで、第１レンズ素子Ｌ１、第２レンズ素子Ｌ２、及び第３レンズ素子Ｌ３は、第１レンズ群Ｇ１における第１サブレンズ群を構成し、第４レンズ素子Ｌ４及び第５レンズ素子Ｌ５は、第２サブレンズ群を構成する。これらのうち、第４レンズ素子Ｌ４と第５レンズ素子Ｌ５とが接合されている。
【００３４】
第５の実施の形態に係るインナーフォーカスレンズにおいて、第２レンズ群Ｇ２は、両凸形状の第６レンズ素子Ｌ６と、物体側に凸面を向けた負メニスカス形状の第７レンズ素子Ｌ７と、両凸面形状の第８レンズ素子Ｌ８と、両凹形状の第９レンズ素子Ｌ９と、両凸形状の第１０レンズ素子Ｌ１０と、像面側に凸面を向けた正メニスカス形状の第１１レンズ素子Ｌ１１と、像面側に凸面を向けた負メニスカス形状の第１２レンズ素子Ｌ１２とからなる。これらのうち、第９レンズ素子Ｌ９と第１０レンズ素子Ｌ１０とが接合されている。また、該第２レンズ群Ｇ２中の負の単レンズＬ７を像面側へ光軸上移動することにより無限遠物体側から近距離物体側へのフォーカシングを行う。正の単レンズＬ８を光軸に直交する方向に移動させることによって、全系の振動による像点移動を補正する、すなわち、手ぶれ、振動等による像ぶれを光学的に補正することができる。
【００３５】
図１６は第６の実施の形態に係るインナーフォーカスレンズの無限遠物点合焦時のレンズ構成を示すものである。
【００３６】
第６の実施の形態に係るインナーフォーカスレンズは、物体側から像面側へ順に、第１レンズ群Ｇ１、開口絞りＡ、第２レンズ群Ｇ２が配列されている。
【００３７】
第６の実施の形態に係るインナーフォーカスレンズにおいて、第１レンズ群Ｇ１は、物体側から像面側へと順に、物体側に凸面を向けた正メニスカス形状の第１レンズ素子Ｌ１と、物体側に凸面を向けた正メニスカス形状の第２レンズ素子Ｌ２と、物体側に凸面を向けた負メニスカス形状の第３レンズ素子Ｌ３と、物体側に凸面を向けた負メニスカス形状の第４レンズ素子Ｌ４と、物体側に凸面を向けた正メニスカス形状の第５レンズ素子Ｌ５とからなる。ここで、第１レンズ素子Ｌ１、第２レンズ素子Ｌ２、及び第３レンズ素子Ｌ３は、第１レンズ群Ｇ１における第１サブレンズ群を構成し、第４レンズ素子Ｌ４及び第５レンズ素子Ｌ５は、第２サブレンズ群を構成する。これらのうち、第４レンズ素子Ｌ４と第５レンズ素子Ｌ５とが接合されている。
【００３８】
第６の実施の形態に係るインナーフォーカスレンズにおいて、第２レンズ群Ｇ２は、両凹形状の第６レンズ素子Ｌ６と、両凸形状の第７レンズ素子Ｌ７と、両凹形状の第８レンズ素子Ｌ８と、両凸形状の第９レンズ素子Ｌ９と、両凸形状の第１０レンズ素子Ｌ１０と、像面側に凸面を向けた負メニスカス形状の第１１レンズ素子Ｌ１１とからなる。これらのうち、第８レンズ素子Ｌ８と第９レンズ素子Ｌ９とが接合されている。また、第６レンズ素子Ｌ６はその物体側面が非球面である。また、該第２レンズ群Ｇ２中の負の単レンズＬ６を像面側へ光軸上移動することにより無限遠物体側から近距離物体側へのフォーカシングを行う。正の単レンズＬ７を光軸に直交する方向に移動させることによって、全系の振動による像点移動を補正する、すなわち、手ぶれ、振動等による像ぶれを光学的に補正することができる。
【００３９】
以下、例えば実施の形態１〜６にかかるレンズ系が満足することが望ましい条件を説明する。なお、各実施の形態に係るレンズ系に対して、複数の例示的な条件が規定されるが、これら複数の条件すべてを満足するレンズ系の構成が最も望ましい。しかしながら、個別の条件を満足することにより、それぞれ対応する効果を奏するレンズ系を得ることも可能である。
【００４０】
本実施形態におけるインナーフォーカスレンズは、物体側から順に第１レンズ群、開口絞り、第２レンズ群、から構成され、前記第１レンズ群は、最も物体側に、第１サブレンズ群を有し、前記第１サブレンズ群は、正のパワーを有する第１レンズ素子、正のパワーを有する第２レンズ素子、負のパワーを有する第３レンズ素子、または正のパワーを有する第１レンズ素子、正のパワーを有する第２レンズ素子、正のパワーを有する第３レンズ素子、負のパワーを有する第４レンズ素子を有し、前記第２レンズ群内の１枚のレンズ素子が、無限遠合焦状態から近接物体合焦状態へのフォーカシングの際に像面に対して移動し、前記第２レンズ群内の一部のレンズ素子が、光軸に対して垂直方向に移動する。
【００４１】
このレンズ構成においては、第１レンズ群内に、物体側から順に２枚、または、３枚の正レンズと、１枚の負レンズからなる第１サブレンズ群を配置している。これにより、高い光束収束作用を得ながら、収差を良好に補正することができる。
【００４２】
また、このレンズ構成においては、第２レンズ群内の負の屈折力を有する単レンズをフォーカスレンズとして配置している。これにより、フォーカスレンズの軽量化が達成され、電気的レンズ駆動によるオートフォーカス機構によるフォーカス駆動で、高速なフォーカスが達成可能となる。
【００４３】
また、このレンズ構成においては、像ぶれ補正を第２レンズ群内の一部のレンズを光軸に直交する方向に移動させて行っている。これにより、像ぶれ補正機構の構成を簡略化させ、コンパクトなレンズ鏡筒や交換レンズ装置及びカメラシステムを提供することが可能となる。
【００４４】
本実施形態におけるインナーフォーカスレンズは、以下の条件式（１）を満足する。
０．２＜｜ｆＦ／ｆＯ｜＜３．０  ・・・  （１）
ここで、
ｆＦ：フォーカスレンズの焦点距離、
ｆＯ：光軸に対して垂直方向に移動するレンズ素子の合成焦点距離
である。
尚、例えば第１の実施の形態のように、像ぶれ補正を第２レンズ群内の一つのレンズ素子で行う場合には、前記ｆＯは、「光軸に対して垂直方向に移動するレンズ素子の焦点距離」となる。
【００４５】
条件式（１）は、フォーカスレンズと光軸に対して垂直方向に移動するレンズ素子の合成焦点距離比を規定する条件式である。条件式（１）の下限値を下回るとフォーカスレンズの屈折力が強くなり、フォーカシングに伴う収差補正が困難となる。条件式（１）の上限値を上回るとフォーカスレンズ群の屈折力が弱くなり、フォーカス移動量が増加する。これにより、高速なフォーカスやレンズ系小型化が困難となる。
【００４６】
本実施形態におけるインナーフォーカスレンズは、以下の条件式（２）を満足することが望ましい。
ｎｄ１＞１．７５  ・・・  （２）
ここで、
ｎｄ１：第1レンズ素子の屈折率
である。
【００４７】
条件式（２）は、第１レンズ素子のｄ線に対する屈折率に関する条件式である。条件式（２）の下限値を下回ると、第１レンズ素子の曲率が大きくなり、球面収差の補正が困難となるため、大口径化の要求に答えることができない。
また、さらに以下の条件（２）’を満足することにより前記効果をさらに奏功させることができる。
ｎｄ１＞１．８５  ・・・  （２）’
また、さらに以下の条件（２）’ ’を満足することにより前記効果をさらに奏功させることができる。
ｎｄ１＞１．９５  ・・・  （２）’ ’
【００４８】
本実施形態におけるインナーフォーカスレンズは、以下の条件式（３）を満足することが望ましい。
０．９５＜ＤＬＡ／Ｄ１Ｓ＜３．０  ・・・  （３）
ここで、
ＤＬＡ：レンズ系を構成するレンズ素子の光軸上の厚みの総和、
Ｄ１Ｓ：第１レンズ素子の物体側面から開口絞りまでの光軸上の間隔
である。
【００４９】
条件式（３）はレンズ系を構成するレンズ素子の光軸上の厚みの総和と、第１レンズ素子の物体側面から開口絞りまでの光軸上の間隔との比を規定する条件式である。条件式（３）の下限を下回ると、レンズ系を構成するレンズ素子の厚みが短くなりすぎ、大口径化の要求に答えることができない。条件式（３）の上限と上回ると、絞り径が大型化し、レンズ系が大型化してしまう。
また、さらに以下の条件（３）’を満足することにより前記効果をさらに奏功させることができる。
１．１＜ＤＬＡ／Ｄ１Ｓ＜２．８  ・・・  （３）’
【００５０】
本実施形態におけるインナーフォーカスレンズは、以下の条件式（４）を満足することが望ましい。
νｄｓ＞５５  ・・・  （４）
ここで、
νｄｓ：フォーカスレンズのアッベ数
である。
【００５１】
条件式（４）はフォーカスレンズのアッベ数に関する条件式である。条件式（４）の下限を下回ると、フォーカシングに伴う倍率色収差の補正が困難となる。
【００５２】
また、さらに以下の条件（４）’を満足することによって前記効果をさらに奏功させることができる。
νｄｓ＞６５  ・・・  （４）’
【００５３】
本実施形態におけるインナーフォーカスレンズは、以下の条件式（５）を満足することが望ましい。
０．８＜｜Ｌ／ｆＦ｜＜３．５  ・・・（５）
ここで、
Ｌ：レンズ系における光学全長、
ｆＦ：フォーカスレンズの焦点距離
である。
【００５４】
条件式（５）はレンズ系における光学全長と、フォーカスレンズの焦点距離の比を規定する条件式である。条件式（５）の下限を下回ると、フォーカスレンズの屈折力が弱くなり、フォーカス移動量が増加する。これにより、高速なフォーカスやレンズ系小型化が困難となる。条件式（５）の上限を上回ると、レンズ系における光学全長が長くなってしまい、レンズ系小型化が困難となる。
【００５５】
また、さらに以下の条件（５）’を満足することによって前記効果をさらに奏功させることができる。
１．０＜｜Ｌ／ｆＦ｜＜３．０  ・・・（５）’
【００５６】
本実施形態におけるインナーフォーカスレンズは、前記第１サブレンズ群を構成するレンズ素子は、単レンズ素子のみで構成されていることが望ましい。前記第１サブレンズ群に接合を含むと、球面収差の補正が困難となり、大口径化が困難となる。
【００５７】
本実施形態におけるインナーフォーカスレンズは、前記第１サブレンズ群を構成する像面側から２番目のレンズ素子は、物体側に凸面を有する正のメニスカスレンズであることが望ましい。これを満足しない場合、コマ収差の補正が困難となり、良好な収差性能を得ることが困難となる。
【００５８】
本実施形態におけるインナーフォーカスレンズは、以下の条件式（６）を満足することが望ましい。
０．４＜｜ＤＬＡ／ｆＦ｜＜１．５  ・・・  （６）
ここで、
ＤＬＡ：レンズ系を構成するレンズ素子の光軸上の厚みの総和、
ｆＦ：フォーカスレンズの焦点距離
である。
【００５９】
条件式（６）はレンズ系を構成するレンズ素子の光軸上の厚みの総和と、フォーカスレンズの焦点距離の比を規定する条件式である。条件式（６）の下限を下回ると、フォーカスレンズの屈折力が弱くなり、フォーカス移動量が増加する。これにより、高速なフォーカスやレンズ系小型化が困難となる。条件式（６）の上限を上回ると、レンズ系を構成するレンズ素子の光軸上の厚みの総和が大きくなりすぎ、レンズ系小型化が困難となる。
【００６０】
実施の形態１〜６に係るインナーフォーカスレンズを構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、好ましい。
【００６１】
（実施の形態７）
図１９は、実施の形態７に係るレンズ交換式デジタルカメラシステムの概略構成図である。
本実施の形態7に係るレンズ交換式デジタルカメラシステム１００は、カメラ本体１０１と、カメラ本体１０１に着脱自在に接続される交換レンズ装置２０１とを備える。
カメラ本体１０１は、交換レンズ装置２０１のインナーフォーカスレンズ２０２によって形成される光学像を受光して、電気的な画像信号に変換する撮像素子１０２と、撮像素子１０２によって変換された画像信号を表示する液晶モニタ１０３と、カメラマウント部１０４とを含む。一方、交換レンズ装置２０１は、実施の形態１〜６いずれかに係るインナーフォーカスレンズ２０２と、インナーフォーカスレンズ２０２を保持する鏡筒２０３と、カメラ本体のカメラマウント部１０４に接続されるレンズマウント部２０４とを含む。カメラマウント部１０４及びレンズマウント部２０４は、物理的な接続のみならず、カメラ本体１０１内のコントローラ（図示せず）と交換レンズ装置２０１内のコントローラ（図示せず）とを電気的に接続し、相互の信号のやり取りを可能とするインターフェースとしても機能する。なお、図１９においては、インナーフォーカスレンズ２０２として実施の形態１に係るインナーフォーカスレンズを用いた場合を図示している。
【００６２】
本実施の形態７では、実施の形態１〜６いずれかに係るインナーフォーカスレンズ２０２を用いているので、コンパクトで結像性能に優れた交換レンズ装置を低コストで実現することができる。また、本実施の形態７に係るカメラシステム１００全体の小型化及び低コスト化も達成することができる。
【００６３】
以下、実施の形態１〜６に係るインナーフォーカスレンズを具体的に実施した数値実施例１〜６を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【００６４】
【数１】
0005942193.tif 000002
ここで、Ｚは光軸からの高さがｈの非球面上の点から非球面頂点の接平面までの距離、ｈは光軸からの高さ、ｒは非球面頂点の曲率半径、κは円錐定数、Ａｎはｎ次の非球面係数である。
【００６５】
図２、５、８、１１、１４及び１７は、各々実施の形態１〜６に係るインナーフォーカスレンズの無限遠合焦時における縦収差図である。
各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【００６６】
また図３、６、９、１２、１５及び１８は、各々実施の形態１〜６に係るインナーフォーカスレンズの無限合焦時における横収差図である。
各横収差図において、上段３つの収差図は、無限遠合焦時における像ぶれ補正を行っていない基本状態、下段３つの収差図は、像ぶれ補正レンズ群を光軸と垂直な方向に所定量移動させた無限遠合焦時における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と第２レンズ群Ｇ２の光軸とを含む平面としている。
【００６７】
なお、各実施例のインナーフォーカスレンズについて、無限遠合焦時における、像ぶれ補正状態での像ぶれ補正レンズ群の光軸と垂直な方向への移動量は、以下に示すとおりである。
実施例１  ０．５ｍｍ
実施例２  ０．５ｍｍ
実施例３  ０．５ｍｍ
実施例４  ０．５ｍｍ
実施例５  ０．５ｍｍ
実施例６  ０．５ｍｍ
【００６８】
（数値実施例１）
（表１）
面データ
面番号         r           d           nd         vd                
物面             ∞                                               
1         32.54910     6.11400     2.00100    29.1               
2        161.27730     0.20000                                   
3         27.13830     2.44150     1.83481    42.7               
4         38.82580     2.25400                                   
5        153.19860     1.00000     1.76182    26.6               
6         19.77850     5.71560                                   
7         40.54160     1.00000     1.84666    23.8               
8         17.11630     5.24220     1.72916    54.7               
9        312.37060     1.19520                                   
10(絞り)           ∞     2.50048                                   
11        145.12920     0.80000     1.59349    67.0               
12         22.11130    10.53882                                   
13         29.27420     2.36820     1.80420    46.5               
14       -183.90650     1.41280                                   
15        -68.72480     0.80000     1.78472    25.7               
16         10.97290     3.20520     1.72916    54.7               
17         26.66160     5.05990                                   
18         73.06160     9.68850     2.00069    25.5               
19        -13.63610     0.80000     1.88300    40.8               
20        -65.35500      BF                                       
像面             ∞                                               
各種データ
焦点距離      63.9925
Ｆナンバー     1.84985
画角         9.5274
像高        10.8150
レンズ全長     80.0052
ＢＦ       17.66880
【００６９】
（数値実施例２）
（表２）
面データ
面番号         r           d           nd         vd                
物面             ∞                                               
1         35.32900     3.13430     2.00100    29.1               
2        170.26130     0.20190                                   
3         25.43220     1.76990     2.00100    29.1               
4         37.06800     1.63400                                   
5        624.00550     1.00000     1.64769    33.8               
6         11.16130     6.12230                                   
7(絞り)           ∞     3.68350                                   
8        -17.02840     1.00000     1.72825    28.3               
9         22.43710     6.66320     1.80420    46.5               
10        -24.11640     0.10000                                   
11        124.34850     2.84300     1.80420    46.5               
12        -47.16040     1.00000                                   
13         48.98050     1.79870     1.80420    46.5               
14        202.78230     1.48842                                   
15*        47.42210     0.80000     1.66910    55.4               
16         22.02410     8.34728                                   
17*        37.72090     6.80340     1.61881    63.9               
18*       -19.72370     2.00000                                   
19        -31.78290     1.00000     1.69895    30.0               
20       -402.01760     0.00000                                   
21               ∞      BF                                       
像面             ∞                                               
非球面データ
第15面
K= 0.00000E+00, A4=-1.37149E-05, A6= 1.05404E-07, A8=-1.55996E-09 
A10= 1.36940E-11, A12=-4.87548E-14, A14= 0.00000E+00 
第17面
K= 0.00000E+00, A4= 2.29977E-05, A6=-9.84063E-08, A8= 1.43772E-09 
A10=-1.09868E-11, A12= 3.51104E-14, A14= 1.82361E-17 
第18面
K= 0.00000E+00, A4= 5.44374E-05, A6=-3.10217E-07, A8= 4.95828E-09 
A10=-4.26233E-11, A12= 1.85452E-13, A14=-2.66099E-16 
各種データ
焦点距離      24.9905
Ｆナンバー     1.44954
画角        23.5502
像高        10.4000
レンズ全長     67.0827
ＢＦ       15.69285
【００７０】
（数値実施例３）
（表３）
面データ
面番号         r           d           nd         vd                
物面             ∞                                               
1         78.40330     4.00590     2.00069    25.5               
2        241.95590     0.20000                                   
3         32.15230     6.93330     1.49700    81.6               
4         69.11290     0.20000                                   
5         31.94930     3.46120     1.59282    68.6               
6         46.94560     1.24560                                   
7         64.65160     1.00000     1.62004    36.3               
8         23.58560     8.26000                                   
9         40.48310     1.00000     1.72825    28.3               
10         20.15430     6.37790     1.49700    81.6               
11        112.70690     1.89330                                   
12(絞り)           ∞     2.50584                                   
13        200.44670     1.00000     1.48749    70.4               
14         26.94920    12.96576                                   
15         41.32810     2.55030     1.91082    35.2               
16       -315.33380     2.29750                                   
17        -95.48370     0.80000     1.84666    23.8               
18          9.92690     5.64190     1.80420    46.5               
19         35.40430     4.79040                                   
20        496.43950     8.65320     1.84666    23.8               
21        -11.15450     1.87480     1.78590    43.9               
22        -51.78850     0.00000                                   
23               ∞      BF                                       
像面             ∞                                               
各種データ
焦点距離      97.9983
Ｆナンバー     2.05050
画角         6.2138
像高        10.8150
レンズ全長    105.0077
ＢＦ       27.35077
【００７１】
（数値実施例４）
（表４）
面データ
面番号         r           d           nd         vd                
物面             ∞                                               
1         29.05250     3.86890     2.00100    29.1               
2        160.80660     0.20000                                   
3         22.44350     1.48940     1.80420    46.5               
4         30.20510     1.54940                                   
5        381.77810     1.00000     1.72825    28.3               
6         14.77980     4.87530                                   
7        -21.41570     1.00000     1.75211    25.0               
8         30.55190     3.64360     1.80420    46.5               
9        -29.08460     1.00000                                   
10(絞り)           ∞     1.50000                                   
11         39.66360     2.38530     2.00100    29.1               
12        -86.86480     1.49839                                   
13         97.92660     0.80000     1.48749    70.4               
14         16.07370     8.24291                                   
15         32.39190     1.68460     1.80420    46.5               
16        168.65590     3.26030                                   
17        -17.50790     1.25560     1.75211    25.0               
18       -494.00380     3.17810     1.80139    45.4               
19*       -18.62700     0.47240                                   
20        -23.28790     1.38300     1.80420    46.5               
21        -18.53650     0.00000                                   
22               ∞      BF                                       
像面             ∞                                               
非球面データ
第19面
K= 0.00000E+00, A4= 2.44186E-05, A6=-4.21583E-07, A8= 1.51737E-08 
A10=-3.06806E-10, A12= 3.54691E-12, A14=-2.13588E-14, A16= 5.10835E-17 
各種データ
焦点距離      34.3126
Ｆナンバー     1.80017
画角        17.9900
像高        10.8150
レンズ全長     63.9757
ＢＦ       19.68852
【００７２】
（数値実施例５）
（表５）
面データ
面番号         r           d           nd         vd                
物面             ∞                                               
1         30.38110     6.92480     2.00100    29.1               
2        131.83020     0.61950                                   
3         24.64390     2.35910     1.80420    46.5               
4         35.12280     2.26510                                   
5        137.35750     1.00000     1.84666    23.8               
6         16.55090     6.69740                                   
7        -29.78610     1.00000     1.75211    25.0               
8         29.47920     4.56450     1.80420    46.5               
9        -48.13630     1.00000                                   
10(絞り)           ∞     1.50000                                   
11         54.19220     2.63370     2.00100    29.1               
12       -112.69560     1.50289                                   
13         65.51040     0.80000     1.59349    67.0               
14         20.57690    11.09441                                   
15         32.68080     2.31320     1.80420    46.5               
16       -668.87830     2.56970                                   
17        -28.00680     4.75820     1.84666    23.8               
18         40.91420     4.63690     2.00100    29.1               
19        -28.40300     0.20000                                   
20       -293.08450     1.95040     2.00100    29.1               
21        -44.20580     0.59010                                   
22        -31.15870     0.80000     1.75211    25.0               
23       -656.95580     0.00000                                   
24               ∞      BF                                       
像面             ∞                                               
各種データ
焦点距離      43.5055
Ｆナンバー     1.45010
画角        14.8128
像高        10.8150
レンズ全長     77.4806
ＢＦ       15.70072
【００７３】
（数値実施例６）
（表６）
面データ
面番号         r           d           nd         vd                
物面             ∞                                               
1         30.76580     4.51490     2.00100    29.1               
2         73.93420     0.23270                                   
3         26.93920     2.72760     1.80420    46.5               
4         45.50440     1.11490                                   
5         88.92110     1.00000     1.76182    26.6               
6         18.87610     5.54960                                   
7         27.50520     1.00000     1.80518    25.5               
8         16.55130     5.22050     1.72916    54.7               
9        367.69000     1.15560                                   
10(絞り)           ∞     2.70463                                   
11*      -142.03430     0.80000     1.58913    61.3               
12         17.18350     8.07317                                   
13         38.62050     2.16640     1.80420    46.5               
14       -126.54620     2.59910                                   
15        -19.73710     0.80000     1.84666    23.8               
16         27.48030     9.01570     2.00100    29.1               
17        -29.98210     0.20000                                   
18         79.15070     5.36210     2.00100    29.1               
19        -31.08410     0.59310                                   
20        -27.44150     0.80000     1.84666    23.8               
21       -877.39280     0.00000                                   
22               ∞      BF                                       
像面             ∞                                               
非球面データ
第11面
K= 0.00000E+00, A4= 6.25132E-06, A6= 5.05558E-07, A8=-1.70140E-08 
A10= 2.96783E-10, A12=-2.58982E-12, A14= 8.90624E-15 
各種データ
焦点距離      43.4936
Ｆナンバー     1.45020
画角        14.4921
像高        10.8150
レンズ全長     71.3338
ＢＦ       15.70378
【００７４】
以下の表７に、各数値実施例のレンズ系における各条件の対応値を示す。
【表７】
0005942193.tif 000003
【産業上の利用可能性】
【００７５】
本開示の実施形態にかかるインナーフォーカスレンズは、デジタルスチルカメラ、デジタルビデオカメラ、携帯電話機器のカメラ、スマートフォンのカメラ、監視システムにおける監視カメラ、Ｗｅｂカメラ、車載カメラ等に適用可能であり、特にデジタルスチルカメラシステム、デジタルビデオカメラシステムといった高画質が要求される撮影光学系に好適である。
【符号の説明】
【００７６】
Ｇ１  第１レンズ群
Ｇ２  第２レンズ群
Ｌ１  第１レンズ素子
Ｌ２  第２レンズ素子
Ｌ３  第３レンズ素子
Ｌ４  第４レンズ素子
Ｌ５  第５レンズ素子
Ｌ６  第６レンズ素子
Ｌ７  第７レンズ素子
Ｌ８  第８レンズ素子
Ｌ９  第９レンズ素子
Ｌ１０  第１０レンズ素子
Ｌ１１  第１１レンズ素子
Ｌ１２  第１２レンズ素子
Ａ  開口絞り
Ｓ  像面
１００  レンズ交換式デジタルカメラシステム
１０１  カメラ本体
１０２  撮像素子
１０３  液晶モニタ
１０４  カメラマウント部
２０１  交換レンズ装置
２０２  インナーフォーカスレンズ
２０３  鏡筒
２０４  レンズマウント部
【図１】
0005942193.tif 000004
【図２】
0005942193.tif 000005
【図３】
0005942193.tif 000006
【図４】
0005942193.tif 000007
【図５】
0005942193.tif 000008
【図６】
0005942193.tif 000009
【図７】
0005942193.tif 000010
【図８】
0005942193.tif 000011
【図９】
0005942193.tif 000012
【図１０】
0005942193.tif 000013
【図１１】
0005942193.tif 000014
【図１２】
0005942193.tif 000015
【図１３】
0005942193.tif 000016
【図１４】
0005942193.tif 000017
【図１５】
0005942193.tif 000018
【図１６】
0005942193.tif 000019
【図１７】
0005942193.tif 000020
【図１８】
0005942193.tif 000021
【図１９】
0005942193.tif 000022